(57)【要約】【課題】ネットワークを通じたピッキングを確実に防止することができる、ネットワークを通じた玄関鍵の操作システム及び同システムにおけるピッキング防止システムを提供する。【解決手段】ネットワークを通じて送られてくる制御信号によって玄関鍵６の駆動部５を制御する制御部分８に、玄関鍵６の開閉状態に応じて、玄関鍵６が開なら玄関鍵６を閉にする信号を通して玄関鍵６を閉にするのを許容するが、玄関鍵６が閉なら玄関鍵６を開にする信号を通さず玄関鍵６を開にするのを拒否するピッキング防止回路３が備えられている。【選択図】      図１
2004257181.tif 000002
【特許請求の範囲】
【請求項１】
端末機器からの操作でネットワークを通じて玄関鍵を操作するネットワークを通じた玄関鍵の操作システムであって、
ネットワークを通じて送られてくる制御信号によって玄関鍵の駆動部を制御する制御部分に、玄関鍵の開閉状態に応じて、玄関鍵が開なら玄関鍵を閉にする信号を通して玄関鍵を閉にするのを許容するが、玄関鍵が閉なら玄関鍵を開にする信号を通さず玄関鍵を開にするのを拒否するピッキング防止回路が備えられていることを特徴とするネットワークを通じた玄関鍵の操作システム。
【請求項２】
端末機器からの操作でネットワークを通じて玄関鍵を操作するネットワークを通じた玄関鍵の操作システムにおけるピッキング防止システムであって、
ネットワークを通じて送られてくる制御信号によって玄関鍵の駆動部を制御する制御部分に、玄関鍵の開閉状態に応じて、玄関鍵が開なら玄関鍵を閉にする信号を通して玄関鍵を閉にするのを許容するが、玄関鍵が閉なら玄関鍵を開にする信号を通さず玄関鍵を開にするのを拒否するピッキング防止回路が備えられていることを特徴とするピッキング防止システム。
【発明の詳細な説明】
【０００１】
【発明の属する技術分野】
本発明は、ネットワークを通じた玄関鍵の操作システム及び同システムにおけるピッキング防止システムに関する。
【０００２】
【従来の技術及び課題】
自宅等の玄関の鍵を携帯電話などの端末機器からの操作でネットワークを通じて操作するシステムが提案されているが、この種のシステムで最も重要なことはネットワークを通じたピッキングの防止である。
【０００３】
本発明は、かかる問題点を解決し、ネットワークを通じたピッキングを確実に防止することができる、ネットワークを通じた玄関鍵の操作システム及び同システムにおけるピッキング防止システムを提供することを課題とする。
【０００４】
【課題を解決するための手段】
上記の課題は、端末機器からの操作でネットワークを通じて玄関鍵を操作するネットワークを通じた玄関鍵の操作システムであって、
ネットワークを通じて送られてくる制御信号によって玄関鍵の駆動部を制御する制御部分に、玄関鍵の開閉状態に応じて、玄関鍵が開なら玄関鍵を閉にする信号を通して玄関鍵を閉にするのを許容するが、玄関鍵が閉なら玄関鍵を開にする信号を通さず玄関鍵を開にするのを拒否するピッキング防止回路が備えられていることを特徴とするネットワークを通じた玄関鍵の操作システムによって解決される。
【０００５】
また、端末機器からの操作でネットワークを通じて玄関鍵を操作するネットワークを通じた玄関鍵の操作システムにおけるピッキング防止システムであって、
ネットワークを通じて送られてくる制御信号によって玄関鍵の駆動部を制御する制御部分に、玄関鍵の開閉状態に応じて、玄関鍵が開なら玄関鍵を閉にする信号を通して玄関鍵を閉にするのを許容するが、玄関鍵が閉なら玄関鍵を開にする信号を通さず玄関鍵を開にするのを拒否するピッキング防止回路が備えられていることを特徴とするピッキング防止システムによって解決される。
【０００６】
上記のシステムでは、ピッキング防止回路が、玄関鍵の開閉状態に応じて、玄関鍵が開なら玄関鍵を閉にする信号を通して玄関鍵を閉にするのを許容するが、玄関鍵が閉なら玄関鍵を開にする信号を通さず玄関鍵を開にするのを拒否するので、玄関鍵が閉である場合に、ネットワークを通じて第三者からの玄関鍵を開にする制御信号が送られてきても、その信号は上記のピッキング防止回路によって拒否され、玄関鍵が開になることはない。従って、ネットワークを通じたピッキングを確実に防止することができる。しかも、上記のような回路を組み込むだけでよいから、コスト的に有利にピッキングを防ぐことができる。
【０００７】
【発明の実施の形態】
次に、本発明の実施形態を図面に基づいて説明する。
【０００８】
図１に示す実施形態の玄関鍵操作システムにおいて、１はサーバー、２は宅内のネットワーク系制御部としての制御ボックス、３はピッキング防止回路、４は宅内の鍵制御部としての鍵制御盤、５は鍵駆動部、６は玄関鍵、７は宅内の鍵操作部であり、サーバー１、ネットワーク系制御ボックス２、鍵制御盤４が本発明における制御部分８を構成し、外出先から携帯電話などの端末機器９を用いて、ネットワークとしてのインターネット網１０を通じて、玄関鍵６が開であるか閉であるかのモニタリングを行うことができるようになされていると共に、玄関鍵６の操作も行うことができるようになされている。なお、モニタリング機能のないシステムに構成されていてもよい。また、サーバー１は宅内に備えられることもあれば、管理会社などの他所に備えられることもある。
【０００９】
また、本実施形態では、鍵操作部７を宅内で操作することにより、鍵制御盤４に開閉操作信号が送られ、玄関鍵６が開閉操作されるようになされている。更に、いわゆるキーレスエントリーシステムが備えられていてもよい。
【００１０】
そして、上記の制御部分８にピッキング防止回路３が備えられている。ピッキング防止回路３は、リレー回路等からなり、制御部分８において、例えばネットワーク系制御ボックス２と鍵制御盤４との間に設けられ、玄関鍵６の開閉状態の情報信号を取り込み、玄関鍵６が開なら玄関鍵６を閉にする信号を鍵制御盤４に通して玄関鍵６を閉にするのを許容するが、玄関鍵６が閉なら玄関鍵６を開にする信号を通さず玄関鍵６を開にするのを拒否するようになされている。
【００１１】
玄関鍵６の開閉状態の情報信号は、図１に円弧矢印で示すように鍵制御盤４から取り込まれてもよいし、玄関鍵６部分や玄関鍵区駆動部５部分に図示しない鍵開閉識別センサーを備えさせ、そのセンサーから取り込まれるようにしてもよい。また、ピッキング防止回路３はリレーを用いたもののほか、マイコンを用いた回路からなっていてもよい。
【００１２】
上記のシステムでは、端末機器９を用いたモニタリングによって玄関鍵６が開であった場合には、ピッキング防止回路３は、玄関鍵６を閉にする信号を通して玄関鍵６を閉にするのを許容する状態にあり、そのため、端末機器９から玄関鍵６を閉にする操作を行うと、玄関鍵６は閉に切り替わる。これにより、外出先で玄関鍵６を閉め忘れたような場合でも、外出先から端末機器９で玄関鍵６を閉にすることができる。
【００１３】
一方、端末機器９を用いたモニタリングによって玄関鍵６が閉であった場合には、ピッキング防止回路３は、玄関鍵６を開にする信号を通さず玄関鍵６を開にするのを拒否する状態にあり、そのため、端末機器９から玄関鍵６を開にする操作を行っても、玄関鍵６は開に切り替わらない。特に、本発明のシステムでは、上記のようなピッキング防止回路３を用いているので、ピッキングを確実に防止することができる。
【００１４】
即ち、閉状態の玄関鍵を開にできないようにする方法の一つとして、本発明におけるようなピッキング防止回路３を用いることなく、端末機器９における操作表示画面において開操作のための操作部が表示されないようにすることも考えられるが、それだけでは、ネットワーク知識のある者なら、ネットワークを通じて閉状態にある玄関鍵を開にする操作を行うことも可能である。しかしながら、本発明のようなピッキング防止回路３が備えられている場合には、このピッキング防止回路３は、玄関鍵６の開閉状態に応じて状態が切り替わるものであるがゆえに、ピッキング防止回路３の状態の切替えをネットワークを通じて行うことはできず、そのため、ネットワークを通じたピッキングを確実に防止することができる。
【００１５】
【発明の効果】
本発明は、以上のとおりのものであるから、ネットワークを通じたピッキングを確実に防止することができる。
【図面の簡単な説明】
【図１】システム全体の構成を示す図である。
【符号の説明】
３…ピッキング防止回路
５…鍵駆動部
６…玄関鍵
８…制御部分
９…端末機器
１０…インターネット網（ネットワーク）
【図１】
2004257181.tif 000003